(57)【要約】  放射状に膨張した状態で予備伸張された弾性管を支持するための取外し可能なコア（１０）は、第１および第２の対向端部と、管の第１の端部（２４）で始まり第２の端部（２６）で終わる少なくとも１本の一次（２８）局所弱化線とを含む。コアはさらに、複数の実質的に平行な二次（３２）局所弱化線を含む。各二次弱化線（３２）は、片側にある一次局所弱化線（２８）から一次弱化線の他の側から離れた終点まで実質的に周囲に延在している。近接する二次弱化線（３２）はストリップを画定している。このストリップは、管の第１の端部で始まり、管の第２の端部まで実質的に続いている。
2005514895.tif 000002
【特許請求の範囲】
【請求項１】
第１および第２の端部を有する管と、
前記管の前記第１の端部で始まり前記第２の端部で終わる少なくとも１本の一次局所弱化線と、
複数の略平行な二次局所弱化線と
を含み、
各二次弱化線が片側にある前記少なくとも１本の一次局所弱化線から前記少なくとも１本の一次弱化線の他の側から離れた終点まで延在していて、近接する二次弱化線が前記少なくとも１本の一次弱化線から前記少なくとも１本の一次弱化線の反対側の終点まで交互に延在していて、前記管の前記第１の端部で始まり、蛇行して前記管の第２の端部まで実質的に続いている少なくとも１本のストリップを画定している、放射状に膨張した状態で予備伸張された弾性管を支持する取外し可能なコア。
【請求項２】
前記少なくとも１本のストリップが前記管の前記第２の端部から出発して前記管を通して延在している自由端を含んでいて、前記管の前記第１の端部から突出している請求項１に記載の取外し可能なコア。
【請求項３】
各二次弱化線が前記管の周囲に実質的に延在している請求項１に記載の取外し可能なコア。
【請求項４】
前記少なくとも１本の一次弱化線が周期的な正弦形、ジグザグ形、三角形、矩形または台形波形を有している請求項１記載の取外し可能なコア。
【請求項５】
前記二次弱化線の前記終点にある前記管が放射状に延在している孔を備えている請求項１に記載の取外し可能なコア。
【請求項６】
前記少なくとも１本の一次弱化線の全体の延在部が、前記管の長手方向寸法に対して傾斜している請求項１に記載の取外し可能なコア。
【請求項７】
前記一次および二次弱化線が前記管中の穿孔からなる請求項１に記載の取外し可能なコア。
【請求項８】
前記一次および二次弱化線が、レーザーまたは電子ビーム、プラズマまたは流体ジェット適用による前記管材料のアブレーションにより、または前記管の機械的な切断により形成されている請求項１に記載の取外し可能なコア。
【発明の詳細な説明】
【技術分野】
【０００１】
本発明は、放射状に膨張した、または予備伸張した状態で弾性管を支持するコアに関し、このコアを取り外すと、管内に封入される物品と接触させながら予備伸張された弾性管（ＰＳＴ）が収縮する。さらに、本発明はＰＳＴと放射状に膨張した状態でＰＳＴを支持するコアとを含むカバーアセンブリに関する。
【背景技術】
【０００２】
電力ケーブルまたはその他ケーブルのコネクタを絶縁して環境上保護する方法の一つは、収縮性絶縁管を用いて、中空円柱コアの外側表面に係合させるものである。管とコアは１つのケーブル端部へと滑動し、ケーブルはコネクタにより連結される。その後、管とコアはコネクタ領域に再配置され、中空円柱コアが取り外されて、膨張した絶縁管が収縮して、コネクタおよびケーブルと接触する。
【０００３】
特許文献１および特許文献２には、封止螺旋構成にある相互接続された近接コイルのコアリボンを有する一体型剛性プラスチックコアが記載されている。コアリボンの一端は、部分的に巻き戻されてコアを通して戻されている。この端部を引っ張ると、コアリボンが巻き戻るため、予備伸張させた管が収縮する。コアリボンが螺旋状に巻かれているため、コアとコアが配置された物体の間の空間を通って抜き出されるにつれて、コアリボンの端部が引っ張られるとコアリボンは物体の周囲を回転しなければならない。これは扱い難く、コアを取り外すのに自動化させることができない。というのは、機械が物体の一方の側部でコアを離し、物体の他方の側部で握りなおすことができないためである。
【０００４】
特許文献３および特許文献４には、上述の欠点を回避する直線引き抜きコアリボンが記載されている。このタイプのコアの中空構造は、プラスチック材料の平シートを管状形状に曲げることにより形成される。平シートは、シートの長手方向端部で形成されたインターロック手段により管状状態で保持される。長手方向一端にあるインターロック手段要素は、長手方向他の側にあるそれぞれのインターロック手段である相手方部品とインターロックする。平シートには、シートの長手方向一端で始まり、それぞれの対向する長手方向端から距離をあけて離れた末端点で終わる交互の複数の弱化線が与えられている。この構成によって、自由端で始まり、連続線周囲の末端間および末端点で蛇行するように続いているストリップまたはリボンが画定される。従って、リボンはその自由端で引っ張ることにより外すことができ、リボンまたはストリップが取り外される際に、コアとＰＳＴが再配置される物体周囲に延在する方向が、巻いた後に反転する。この結果、連続して捻らずに直線引き抜きができ、取外しが簡単になる。しかしながら、材料の平シートは、インターロック手段を与えるために、長手方向端部で特定のデザインを備えていなければならない。これがシート材料の製造を複雑にさせている。さらに、インターロック手段で作用する力によって、ベントシート材料が元の平条件まで戻り、ＰＳＴを充填しながらコアの管状形状を維持するのがやや困難になり扱い難くなる。最後に、インターロック手段では、コアとＰＳＴは、目視上周囲のデザインからは外れており、コアとＰＳＴから形成されるカバーアセンブリが消費者に受け入れられるかどうかに影響を与える可能性がある。
【０００５】
特許文献５は、特許文献６または特許文献７（特許文献５の図２および７頁の２１〜２７行参照）に規定および記載されている支持コアによって形状が維持されている２本の放射状に膨張したプロ伸張させた管部分を備えた弾性変形可能なＴ形端部封止キャップを有する、予備伸張させたモジュールバリアブーツに関するものである。
【０００６】
特許文献８には、ＰＳＴのための他の支持コアが示されており、数個の蛇行するストリップを有する可撓性フラットシートは曲がって、可撓性シートの側部がインターロック装置により一緒に保持される管状支持コアが得られる。このコアデザインの問題および欠点は上述したものと同じである。
【０００７】
従って、予備伸張させた弾性管を放射状に膨張した状態で支持する取外し可能なコアであって、取外し可能なコアの製造プロセスが比較的簡単で、ＰＳＴ内に封止された物品周囲で捻ることなくストリップまたはリボンを直線に引っ張ることによりコアを取り外すことのできるコアが必要とされている。冷収縮可能な弾性カバー管と、予備伸張され放射状に膨張した状態でカバー管を支持するための取外し可能なコアとを含む物体を封止するためのカバーアセンブリも必要とされている。
【特許文献１】米国特許第３，５１５，７９８号明細書
【特許文献２】米国特許第４，５０３，１０５号明細書
【特許文献３】ＰＣＴ特許出願国際公開第９３／３３８１６号パンフレット
【特許文献４】米国特許第５，５８９，６６７号明細書
【特許文献５】ＰＣＴ特許出願国際公開第９６／２１９６３号パンフレット
【特許文献６】ＰＣＴ特許出願国際公開第９３／２２８１６号パンフレット
【特許文献７】米国特許第５，５８９，６６７号明細書
【特許文献８】欧州特許出願ＥＰ−Ａ０  ６３７  １１７号明細書
【発明の開示】
【課題を解決するための手段】
【０００８】
本発明によれば、例えば、プラスチック材料でできており、一次および二次弱化線を備えた単体管から構築された取外し可能なコアが提供される。弱化線を備えた単体管は、蛇行するように管周囲に延在している少なくとも１つのストリップまたはリボンからなる取外し可能なコアを形成する。
【０００９】
本発明による取外し可能なコアの単体管は、管の第１の端部から第１の端部に対向する第２の端部まで延在している局在化した一次弱化線を備えている。一次弱化線を横切って、実質的に管の周囲に延在しているのが好ましい、数本の二次局所弱化線がある。各二次弱化線は、一次弱化線から始まり、一次弱化線の片側から、一次弱化線の他の側の終点までそこから間隔をあけて延在している。これは、各二次弱化線が約３６０°未満でほぼ１回の巻きで周囲に延在していることを意味する。二次弱化線は互いに実質的に平行である。従って、この二次弱化線のデザインを、管の第１の端部から逆の第２の端部まで蛇行して実質的に管周囲に延在するストリップまたはリボンを与える。ストリップは、管の他の側から突出するように管を通って管の一端から戻る。
【００１０】
本発明の主要態様の一つは、取外し可能なコアを形成する単体管の完全性が、コアにより支持されるＰＳＴから取り外されるまで、取外し可能なコアの製造プロセスの始めから維持されることである。取外し可能なコアの管形状を維持するためにインターロック手段は必要ない。本発明による取外し可能なコアのストリップまたはリボンは、２回以上巻いてＰＳＴによりカバーされる物体周囲で捻ることなく真っ直ぐ引っ張ることができる。というのは、末端点と一次弱化線との間の蛇行するストリップの部分が、引っ張るときにストリップが巻き戻される方向が１８０°反対になる巻き戻し方向反転点を画定しているためである。
【００１１】
基本的に、一次局所弱化線は、単体管の長手方向軸に対して平行または傾斜した直線とすることができる。しかしながら、安定性の理由から、一次弱化線は、やや波形、例えば、コルゲート、三角、矩形または台形であるのが好ましい。一次弱化線の波形デザインは、一次弱化線が延在している逆の側部に対して（仮想）線と対照であるのが好ましい。この対照線は、直線または曲線、すなわち、管の長手方向寸法に対して傾斜した線とすることができる。
【００１２】
本発明の上述した好ましい実施形態によれば、一次弱化線は、定義された幅を有するストリップ状領域内でジグザグ状に延在している。二次弱化線の終点と一次弱化線の間の距離は、ストリップ状領域の幅より短い、これに等しい、または長くすることができる。
【００１３】
ストリップを引っ張るときにストリップが曲がるのを促すために、放射状に延在している孔を備えた二次弱化線の終点に単体管を設けるのも好ましい。
【００１４】
一次および二次弱化線に沿って単体管を弱化するいくつかのデザインが考えられる。好ましい方法は、管の壁に穿孔を施したり、厚さを薄くすることである。押し出し管は、穿孔を施し、かつ厚さを薄くすることができ、一次および二次弱化線は、例えば、レーザー、電子ビームまたはプラズマを用いた管材料のアブレーションにより形成され、管の局所を加熱すると、材料が管から除去される。変形例として、管をナイフまたは同様の切断ツールを用いて機械的に、または、流体ジェット、例えば、水ジェットを用いて流体中に追加の研磨材料を存在させて、または存在させずに、水力で切断することもできる。さらに他の変形例において、単体管は、射出成形することができ、この場合、鋳型は、管壁の穿孔または溝またはその両方を形成するために必要な構造を備えている。
【００１５】
管に弱化線を形成するための前述した方法の中で、レーザーアブレーションが最も好ましい。特定のポリマーが強力なレーザーエネルギーにより分解可能であることは知られている。かかるポリマーの一例としては、ポリオキシメチレン（ＰＯＭ）がある。さらに、シリカのような好適なフィラーを組み込むことによって、自身はレーザーアブレーション可能ではないが、他のポリマーにこの特徴を与えることができることが分かっている。例示に過ぎないが、ポリエチレンおよびポリプロピレンのようなポリオレフィン、コポリマー、ポリアミド、ポリ塩化ビニル、デンプン変性生物分解性ポリマーは全て核の材料として用いることができる。レーザーまたはその他エネルギービームのＩＲ吸収を増大させる好適なフィラーとしては、カーボンブラック、グラファイトおよびその他好適な染料が挙げられる。レーザーアブレーション可能またはその他のエネルギービームによりアブレーション可能なその他多くの材料が知られており、本発明に用いることができる。
【００１６】
アブレーションプロセスは、鏡等の装置を用いてエネルギービームを偏向したり、光ファイバーによりビームエネルギーを直接適用することにより、管外部か、管内部のいずれかから実施することができる。コアの所望の特性に応じて、アブレーションは非浸透性として、厚さを薄くした連続線を作成したり、局所浸透性として、穿孔状構造を作成したり、これらの手段の組み合わせを作成することができる。所望の弱化線を得る別のやり方は、アブレーション不可能なポリマーの層を、アブレーション可能なポリマーの層と、例えば、透明な酢酸セルロースと共にＰＯＭを共押出しすることにより、組み合わせることである。
【００１７】
上述した通り、本発明の取外し可能なコアは、プリフォームとして安価な押し出し管から形成でき、ＰＳＴ用の取外し可能なコアを、直線引き抜きＰＳＴコアに作成できるという利点がある。製造の観点から、弱化線のパターンには実際に制限はない。というのは、先行技術において、製造プロセスの良好な反復性および自動化を行うＣＮＣ制御のレーザーおよびその他切断装置があるためである。
【００１８】
本発明の取外し可能なコアの更なる利点は、単体管の完全性のために、管の周囲輪郭から外れて延在する管部分がないということである。この結果、このアセンブリの使用業界と使用者の両方に受け入れられるＰＳＴとコアアセンブリのデザインが得られた。
【００１９】
本発明の他の態様によれば、少なくとも２本の弱化線がそれぞれ交互にそれぞれの仮想線の逆の側部に延在している取外し可能なコアが提供される。本実施形態において、コアは、単体管周囲の半分に沿って蛇行して延在している少なくとも２つのストリップを有している。従って、各ストリップで引っ張ると、ＰＳＴ内側からコアを取り外すことができ、各ストリップの巻き戻し方向は、ストリップが延在している２本の一次弱化線のそれぞれで反転する。
【００２０】
本発明の更なる態様において、第１および第２の対向端を有する単一管と、離れているが互いに近接配置された複数のセクションの一次局所弱化線と、それぞれ一次弱化線セクションと関連している二次弱化線の群とを含み、複数の一次弱化線セクションの配置が管の第１の端部から第２の端部および複数の実質的に平行な二次局所弱化線まで延在しており、二次弱化線群のそれぞれが、片側の関連する一次弱化線セクションから、各一次脆弱線セクションの他の側の終点まで間隔をあけて延在しており、近接する二次弱化線の群が、異なる側のそれぞれの一次弱化線セクションからそれぞれの一次弱化線セクションの他の側の終点まで延在しており、各一次弱化線セクションの一端から、この一次弱化線セクションの一端で、他の側の近接する一次弱化線セクションの逆端まで二次弱化線が延在していて、管の第１の端部で始まり、複数の一次弱化線セクションの領域内で実質的に蛇行して続き、各近接する一次脆弱線セクション間で管の第２の端部まで実質的に螺旋状で続くストリップを画定し、ストリップが、管の第２の端部から始まって、管を通って延在し、管の第１の端部から突出している自由端を有する、放射状に膨張した状態で予備伸張された弾性管を支持する取外し可能なコアが提供される。
【００２１】
本実施形態によれば、本発明のコアの単体管は、管の第１の端部から第２の端部まで延在するセクションの配置を備えた一次弱化線の個々のセクションを有している。一次弱化線セクションは、近接配置されているが、互いに離れている。各セクションは２つの逆の端部を有し、２つの近接セクションは互いに離れた収縮する端部を有している。管と、一次弱化線の各セクションの領域内の一次および二次弱化線の延長部のデザインについては上述してある。さらに、本発明の本実施形態において、一次弱化線セクションの一端で始まり、周囲方向に続き、近接する一次脆弱線セクションの対向端部で終わる二次弱化線がある。弱化線のこの配列によって、管の周囲壁内で画定されたストリップは、各一次弱化線セクションの領域内で実質的に蛇行して延在しており、一方、ストリップは近接する一次弱化線セクション間では実質的に螺旋状に延在している。
【００２２】
ストリップを引っ張ると、各一次弱化線セクションの領域内で、各巻き付け後にストリップの巻き戻し方向が１８０°反転され、２つの近接する一次弱化線セクション間の領域で少なくとも２回巻き付けた後１８０°反転され、各群の３つの連続一次弱化線セクション間の領域内でストリップの巻き戻し方向が互いに反転される。従って、ストリップは、連続一次弱化線セクション間の領域内で２回以上の巻き付けについて巻き戻し方向を変えないが、ＰＳＴによりカバーすべき物品周囲のストリップの捻れは生じない。
【００２３】
一次弱化線セクションは、直線としたり、あるいは変位、周囲で位置合せ、または実質的に周囲方向となる各対のセクションの対向端部を備えて曲げることができる。ここで曲がっているという用語は、一次弱化線セクションが必ずしも滑らかに曲がっているだけでなく、ジグザグ形状、三角形、「ｕ」または「ｗ」形状も意味する。近接するセクション間で、２つの一次弱化線セクションの対向端部を連結する二次弱化線は、この領域のストリップが数回の巻き付けで実質的に螺旋状に延在するように、１回以上巻き付けて延在していてもよい。
【００２４】
添付の図面を参照して、本発明をさらに説明する。いくつかの図面および実施態様において、同じ参照番号は同じ部分を参照している。
【発明を実施するための最良の形態】
【００２５】
冷収縮可能な弾性管１２を支持する取外し可能なプラスチックコア１０の第１の実施形態を図１に示す。弾性管１２は、中空コア１０に形成された弱化線のデザインを見せるために一部切り欠いてある。取外し可能なコア１０と予備伸張され放射状に膨張した弾性カバー管１２を含むカバーアセンブリ１４は、コンダクタ１８と絶縁カバー２０とをそれぞれ有する２本の電気ケーブル１６を連結するケーブルコネクタ（明らかには図示せず）に配置されている。
【００２６】
中空コア１０の取外しによって、放射状に膨張したカバー管１２が収縮して、コネクタとケーブル１６周囲を封止接触させる。必要であれば、絶縁漆喰またはテープを、ケーブル１６と弾性カバー管１２の絶縁カバー２０間に配置することができる。
【００２７】
冷収縮可能な弾性カバー管１２は、大きな直径まで膨張した後、中空支持コア１０が取り外されると実質的に元の寸法まで収縮して戻る弾性管から作成してもよい。
【００２８】
たいていの用途において、弾性カバー管１２を形成するのに用いる材料の正確な化学的性質は、伸張した後、実質的に元の寸法まで収縮可能な十分に高い弾性を有している以外は、特に重要ではない。天然ゴム、天然および合成ポリイソプレン、シス−ポリブタジエンおよびスチレンブタジエンゴム、ブタジエン−アクリロニトリルゴム、ポリクロロプレン、（ネオプレン）、ブチルゴム、ポリスルフィドゴム、液体シリコーンゴムをはじめとするシリコーンゴム、ウレタンゴム、ポリアクリレートゴム、ヒドリンホモ−およびコポリマーゴム、酸化プロピレンゴム、フルオロシリコーンゴム、フルオロカーボンゴム、クロロ−スルフォン化ポリエチレンゴム、塩素化ポリエチレンゴム、エチレン−プロピレンゴム、エチレン−プロピレン−ジエンモノマーターポリマーゴム（ＥＰＤＭ）、ニトロソゴム、ホスホニトリルゴムまたは２成分ポリウレタンをはじめとするポリウレタン、ポリウレタンエラストマーおよびポリウレタン熱可塑性エラストマー（ＴＰＥ）のようなゴム状エラストマーが好適である。好ましい材料としては、エチレン−プロピレン−ジエンモノマーターポリマー（ＥＰＤＭ）およびシリコーンゴムが挙げられる。上記の材料のいずれかに、難燃剤、導電性材料、耐候性を改善する材料、電気的ストレスを緩和する材料、ガラスまたはカーボンファイバー、不活性フィラー等といった様々な組成物を処方してよい。特に、弾性カバー管１２は、電気通信、媒体または高電圧用途に必要とされるように、絶縁性、導電性、または電気的ストレス緩和性であってもよい。
【００２９】
中空プラスチック支持コア１０の側面図を図１に、等測図を図２に示す。それによると、コア１０は、第１の端部２４と、コア１０の長手方向寸法を画定する逆の第２の端部２６とを有する管２２から構成されている。さらに、管２２の壁において、管２２の第１の端部２４から第２の端部２６まで延在する一次弱化線２８が形成されている。一次弱化線２８は波形で、管２２の周囲方向において幅３０をもって延在しており、仮想線２９と対称である。
【００３０】
一次弱化線２８を横切って、管２２の周囲方向において複数の平行な二次弱化線３２が延在している。３４の各二次弱化線３２は、一次弱化線２８から始まって、周囲の片側で、弱化線の逆の他の側に配置された終点３６まで実質的に周囲に延在している。終点３６は、一次弱化線２８の位置３４から離れていて、二次弱化線３２は、周囲方向において距離３８で始まっている。本実施形態において、距離３８は幅３０より短い。
【００３１】
コア１０を側部から見ると、一時弱化線２８は波形関数と見なすことができる。二次弱化線３２が始まる位置３４は、波形一次弱化線２８の山と谷に交互に配置されており、終点３６がそれぞれ２つの近接する山または２つの近接する谷間に配置されている。このデザインにより、管２２の壁は、管２２の周囲に蛇行して延在しているストリップまたはリボン４０により構築されたものと見なすことができる。ストリップ４０の近接部分４２は二次弱化線３２により分離されている。ストリップ４０の各部分４２は、管２２の周囲３６０°に延在しており、近接部４２は、一次弱化線２８の部分により制限されて、終点３６周囲に延在している連結部分４４により連結されている。管２２の第２の端部２６で、ストリップ４０は続いて、管２２の第２の端部２６から管２２を通って延在する自由端４６を形成し、手または好適なツール（トング等）により把持可能な部分４８を形成する管２２の第１の端部２４から突出している。
【００３２】
一次２８および二次３２弱化線に沿って、管２２の壁は弱化されている。これらの弱化線は、近接する部分間の管壁ウェブ部分を備えた管２２の壁を通して延在している穿孔により、または管２２の外側または内側に形成された溝により構築されている。穿孔または溝は、管２２の壁から材料をアブレーティングすることにより構築されるのが最も好ましい。これは、管２２に、ＰＯＭのようなレーザーアブレーション可能なプラスチック材料を用いてレーザービームにより実施することができる。終点３６は、レーザーアブレーションにより管に形成された放射状に延在している孔５０として与えられているのが好ましい。
【００３３】
図１に戻ると、予備伸張カバー管１２からコア１０を取り外すには、コア１０の第１の端部２４から離れて把持部分４８で引っ張るとストリップ４０の部分４２が巻き戻る。巻き戻りは、コア１０の第２の端部２６から第１の端部２４に向かって始まる。巻き戻すとき、ストリップ４０は、ケーブル１６周囲に３６０°より多く巻かない。というのは、一方向に３６０°巻き戻すと、ストリップ４０の移動方向が３６０°反転されるためである。従って、ストリップ４０は直線で抜き出す。
【００３４】
図３〜６に、本発明の実施形態による異なる支持コア５２、５４、５６および５８の実施形態を示す。これらの図面において、図１および２によるコア１０の個々の部分と同様または同一の部分については同じ参照番号を用いてある。
【００３５】
図１および３に示すように、図３のコア５２の一次弱化線２８は波形である。しかしながら、距離３８は、二次弱化線３２の終点３６が位置３４から離れており、二次弱化線３２が始まるところであり、幅３０とほぼ同じである。
【００３６】
図４によれば、一次弱化線２８の全体の延在部は、コア５４の長手方向寸法に対して傾斜している。従って、一次弱化線２８は、自身は波形であるものの、コア５４の長手方向寸法に対して螺旋状に延在している。
【００３７】
図５および６はそれぞれ、三角または台形一次弱化線２８を有するコア５６および５８を示している。
【００３８】
最後に、図７に、本発明によるコア６０の他の実施形態の斜視図を示す。この図面においても、他の実施形態によるコアの対応部分と同様のコア６０の部分は同じ参照番号で示してある。
【００３９】
図７のコア６０の特別な特徴は、管２２が２つのストリップ４０から構成されていて、それぞれが螺旋状に１８０°延在し、別個の把持端４８で終わっている。このため、コア６０の管２２には、互いに１８０°で配置された２本の一次弱化線２８がある。一次弱化線２８は両方とも波形で、２本の一次弱化線２８の間には、二次弱化線３２が、１つの一次弱化線２８の点３４から、一次弱化線２８の他方から周囲方向に距離３８離れた終点３６まで周囲に延在している。従って、各２つのストリップ４０は近接する周囲延在部分４２と、ストリップ４０の近接部分４２を連結する部分４４とを備えており、各部分４２は、管２２の周囲方向に１８０°延在していて、各ストリップ４０が蛇行して管２２の長手方向に沿って１８０°続いている。両ストリップ４０の把持端部４８で引っ張ることにより、コア６０はコア６０により支持されている予備伸張された弾性管（図７には図示せず）から取り外される。
【００４０】
変形として、コア１０の管２２の第２の端部２６で２つのストリップ４０を連結して、１つのみの自由端が管２２を通して延在し、管の第１の端部２４に突出して、一端で両ストリップ４０を引っ張ることによりコア６０から巻き戻される。さらに、ストリップの２つの自由端４６を長さに沿って連結し、連結された端部を引っ張ることによって両ストリップ４０を巻き戻すこともできる。
【００４１】
図８および９において、ＰＳＴの除去可能なコアの２つの更なる実施形態を示す。同じ参照番号は他の図面と同じ部分を示している。記載した他の実施形態によるコアの特性および特徴は全て、図８および９の実施形態にも当てはまる。
【００４２】
他の実施形態に対して、図８および９では、一次弱化線が逆端部６２、６４を有する連続配置された近接セクション２８に分離されており、近接セクション２８の対向端部６２、６４は周囲方向に変位されている。近接セクション２８は、互いに逆に向いており、曲がったりジグザグ形状である。セクション２８の領域内で、二次弱化線３２の延在部および配列は図１〜７の他の実施形態と同一である。しかしながら、一次弱化線の近接セクション２８の対向端部６２、６４は二次弱化線６６により連結されている。従って、ストリップ４０はここでは２つの巻き付けのためのそれぞれ延在するセクション６８を有している。図９において、ストリップの各一次弱化線セクション４２について２つのセクション４２がある。さらに、図８では、一次弱化線セクション２８は滑らかに曲がっており、半円に沿って延在して、仮想線２９の反対側で交互に配置されて、周囲方向に変位されている。一方、図９では、一次弱化線セクション２８は、文字「ｗ」のようにジグザグ形状で、インターリーブされて、各セクション２８は仮想線２９の両側に延在している。
【００４３】
当業者に明白なように、前述の開示内容を参照して、技術思想または範囲から逸脱することなく本発明の多くの変形および修正が可能である。従って、本発明の範囲は添付の請求項を参照して解釈されるものとする。
【図面の簡単な説明】
【００４４】
【図１】本発明の一実施形態による取外し可能なコアとＰＳＴがケーブルコネクタに配置された取外し可能なコアにより支持されるＰＳＴの部分切り欠き側面図。
【図２】本発明による取外し可能なコアの一実施形態の斜視図。
【図３】一次弱化線の形状および終点間、二次弱化線から一次弱化線の距離に関して異なる本発明の実施形態による取外し可能なコアの側面図。
【図４】一次弱化線の形状および終点間、二次弱化線から一次弱化線の距離に関して異なる本発明の実施形態による取外し可能なコアの側面図。
【図５】一次弱化線の形状および終点間、二次弱化線から一次弱化線の距離に関して異なる本発明の実施形態による取外し可能なコアの側面図。
【図６】一次弱化線の形状および終点間、二次弱化線から一次弱化線の距離に関して異なる本発明の実施形態による取外し可能なコアの側面図。
【図７】本発明による取外し可能なコアの他の実施形態の斜視図。
【図８】本発明による取外し可能なコアの更なる実施形態の斜視図。
【図９】本発明による取外し可能なコアの更なる実施形態の斜視図。
【図１】
2005514895.tif 000003
【図２】
2005514895.tif 000004
【図５】
2005514895.tif 000005
【図６】
2005514895.tif 000006
【図５】
2005514895.tif 000007
【図６】
2005514895.tif 000008
【図７】
2005514895.tif 000009
【図８】
2005514895.tif 000010
【図９】
2005514895.tif 000011
【手続補正書】
【提出日】平成16年3月9日(2004.3.9)
【手続補正１】
【補正対象書類名】特許請求の範囲
【補正対象項目名】全文
【補正方法】変更
【補正の内容】
【特許請求の範囲】
【請求項１】
第１および第２の端部を有する管と、
前記管の前記第１の端部で始まり前記第２の端部で終わる少なくとも１本の一次局所弱化線と、
複数の略平行な二次局所弱化線と
を含み、
各二次弱化線が片側にある前記少なくとも１本の一次局所弱化線から前記少なくとも１本の一次弱化線の他の側にあって、そこから離れた終点まで延在していて、近接する二次弱化線が前記少なくとも１本の一次弱化線から前記少なくとも１本の一次弱化線の反対側の終点まで交互に延在していて、前記管の前記第１の端部で始まり、蛇行して前記管の第２の端部まで実質的に続いている少なくとも１本のストリップを画定しており、
前記少なくとも１本の一次弱化線が周期的な正弦形、ジグザグ形、三角形、矩形または台形波形を有しており、前記二次弱化線の前記終点にある前記管が放射状に延在している孔を備えている、放射状に膨張した状態で予備伸張された弾性管を支持する取外し可能なコア。
【請求項２】
前記少なくとも１本のストリップが前記管の前記第２の端部から出発して前記管を通して延在している自由端を含んでいて、前記管の前記第１の端部から突出している請求項１に記載の取外し可能なコア。
【請求項３】
各二次弱化線が前記管の周囲に実質的に延在している請求項１または２に記載の取外し可能なコア。
【請求項４】
前記少なくとも１本の一次弱化線の全体の延在部が、前記管の長手方向寸法に対して傾斜している請求項１〜３のいずれか一項に記載の取外し可能なコア。
【請求項５】
前記一次および二次弱化線が前記管中の穿孔からなる請求項１〜４のいずれか一項に記載の取外し可能なコア。
【請求項６】
前記一次および二次弱化線が、レーザーまたは電子ビーム、プラズマまたは流体ジェット適用による前記管材料のアブレーションにより、または前記管の機械的な切断により形成されている請求項１〜５のいずれか一項に記載の取外し可能なコア。
【国際調査報告】
2005514895.tif 000012
2005514895.tif 000013